Podtech/llm-jp-corpus-v4-ja_patent huggingface dataset:
(57)【要約】      （修正有）【課題】異なる特性を有する内層と外層から成る紙容器を提供する。【解決手段】互いに対応し合う形状を成す内層１０及び外層２０を備え、内層１０は上面にフィルム層が設けられ、中央に収容空間１０１が形成されると共に、外周縁に下表面１０３を有する第一リング状縁１０２が設けられ、外層２０は前記内層１０の下方に設けられ、周縁に第一リング状縁１０２と対応する、上表面２０３を有する第二リング状縁２０１が設けられると共に、外側面にフィルム層２０２が設けられ、内層１０と外層２０は第一リング状縁１０２の下表面１０３と第二リング状縁２０１の上表面２０３との接着により、組合されることを特徴とする。【選択図】図２
0003100898.tif 000002
【実用新案登録請求の範囲】
【請求項１】
互いに対応し合う形状を成す内層（１０）及び外層（２０）を備え、内層（１０）は上面にフィルム層が設けられ、中央に収容空間（１０１）が形成されると共に、外周縁に下表面（１０３）を有する第一リング状縁（１０２）が設けられ、外層（２０）は前記内層（１０）の下方に設けられ、周縁に第一リング状縁（１０２）と対応する、上表面（２０３）を有する第二リング状縁（２０１）が設けられると共に、外側面にフィルム層（２０２）が設けられ、
内層（１０）と外層（２０）は第一リング状縁（１０２）の下表面（１０３）と第二リング状縁（２０１）の上表面（２０３）との接着により、組合されることを特徴とする紙容器。
【請求項２】
前記内層（１０）と外層（２０）との間に隙間が形成されることを特徴とする請求項１に記載の紙容器。
【考案の詳細な説明】
【技術分野】
【０００１】
本考案は、特に異なる特性を有する内層と外層から成る紙容器に関するものである。
【背景技術】
【０００２】
従来の使い捨て容器は主にプラスチック製及び紙製の二種類に分けられであり、その内のプラスチック製の容器は環境に悪影響を及ぼすことから、使用の制限が厳しくなり、又、従来の紙製の容器は強度不足及び断熱効果が悪いなどの問題を有するので、使用上非常に不便であった。
【０００３】
図５に示すように、従来の紙容器は上モールド（６０）と下モールド（６１）の間に紙原料を注入すると共に、排水を行うことにより、紙容器（５０）を得るが、この紙容器（５０）の内部にはフィルム層（５１）が設けられるので、液体用としても用いることができる。
【考案の開示】
【考案が解決しようとする課題】
【０００４】
しかしながら、前記従来の紙容器（５０）は水分を排水しやすくするために、下モールド（６１）に排水溝が設けられると共に、紙容器（５０）の外表面（５２）はフィルム層を設置することができないほど凹凸面となるので、美観性に優れない。
【０００５】
そこで、案出されたのが本考案であって、異なる特性を有する内層と外層から成る紙容器を提供することを目的としている。
【課題を解決するための手段】
【０００６】
本願の請求項１の考案は、互いに対応し合う形状を成す内層（１０）及び外層（２０）を備え、内層（１０）は上面にフィルム層が設けられ、中央に収容空間（１０１）が形成されると共に、外周縁に下表面（１０３）を有する第一リング状縁（１０２）が設けられ、外層（２０）は前記内層（１０）の下方に設けられ、周縁に第一リング状縁（１０２）と対応する、上表面（２０３）を有する第二リング状縁（２０１）が設けられると共に、外側面にフィルム層（２０２）が設けられ、内層（１０）と外層（２０）は第一リング状縁（１０２）の下表面（１０３）と第二リング状縁（２０１）の上表面（２０３）との接着により、組合されることを特徴とする紙容器及び、
本願の請求項２の考案は、前記内層（１０）と外層（２０）との間に隙間が形成されることを特徴とする請求項１に記載の紙容器、を提供する。
【考案の効果】
【０００７】
本考案は上記の課題を解決するものであり、内層の内側と外層の外側にフィルム層が設けられると共に、美観を向上させることができ、且つ内層と外層の間に隙間が設けられるので、断熱効果も向上させることができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係る紙容器の斜視図であり、図２は本考案に係る紙容器の分解斜視図であり、図３は本考案に係る紙容器の一部断面図であり、図４は本考案に係る紙容器の他の実施例を示す斜視図である。
【００１０】
図１及び図２に示すように、本考案に係る紙容器は互いに対応し合う形状を成す内層（１０）及び外層（２０）を備え、内層（１０）は上面にフィルム層が設けられ、中央に収容空間（１０１）が形成されると共に、外周縁に下表面（１０３）を有する第一リング状縁（１０２）が設けられる。
【００１１】
前記外層（２０）は内層（１０）の下方に設けられ、周縁に第一リング状縁（１０２）と対応する、上表面（２０３）を有する第二リング状縁（２０１）が設けられると共に、外側面にフィルム層（２０２）が設けられる。
【００１２】
前記内層（１０）と外層（２０）は第一リング状縁（１０２）の下表面（１０３）と第二リング状縁（２０１）の上表面（２０３）との接着により、組合される。
【００１３】
又、前記内層（１０）と外層（２０）との間に隙間が形成されることにより、断熱効果を向上することができる。
【００１４】
又、図４に示すように、本考案に係る紙容器の他の実施例においては現有の紙容器の外側に外層（２０）を設けることにより、前記の実施例と同様の効果を達成することができる。
【産業上の利用可能性】
【００１５】
本考案は上記の構成を有するので、内層の内側と外層の外側にフィルム層が設けられると共に、美観を向上させることができ、且つ内層と外層の間に隙間が設けられるので、断熱効果も向上させることができる。
【図面の簡単な説明】
【００１６】
【図１】本考案に係る紙容器の斜視図である。
【図２】本考案に係る紙容器の分解斜視図である。
【図３】本考案に係る紙容器の一部断面図である。
【図４】本考案に係る紙容器の他の実施例を示す斜視図である。
【図５】従来の紙容器の製造状態を示す一部断面図である。
【符号の説明】
【００１７】
１０        内層
１０１      収容空間
１０２      第一リング状縁
１０３      下表面
２０        外層
２０１      第二リング状縁
２０２      フィルム層
２０３      上表面
５０        紙容器
５１        フィルム層
５２        外表面
６０        上モールド
６１        下モールド
【図１】
0003100898.tif 000003
【図２】
0003100898.tif 000004
【図３】
0003100898.tif 000005
【図４】
0003100898.tif 000006
【図５】
0003100898.tif 000007
(57)【要約】      （修正有）【課題】消火器格納箱における正面側開口部の開閉扉構造を工夫することにより格納箱の奥行き寸法を小さくする。【解決手段】ある程度の厚みを有した開閉自在の扉を有する方形の消火器格納箱１であって、該格納箱の扉には、格納消火器に対面する裏側に、消火器管胴部の一部を受け入れ可能な凹部４を形成してなる。これにより扉２を閉めた際に消火器管胴部に干渉することがなく、したがってその分だけ格納箱の奥行き寸法（厚み）を小さくし整然性を保つとともに、とくに駐車場内において格納箱の扉の開閉に際して、駐車中の車両に当接し、あるいは開閉が不十分となるのを減少させ、非常時における迅速な消火活動を阻害するのを防ぎ、もって十分な消火作業の実施を可能とする。【選択図】図２
0003100821.tif 000002
【実用新案登録請求の範囲】
【請求項１】
ある程度の厚みを有した開閉自在の扉を有する方形の消火器格納箱であって、該格納箱の扉には、格納消火器に対面する裏側に、消火器管胴部の一部を受け入れ可能な凹部を形成してなることを特徴とした消火器の格納箱。
【請求項２】
開閉自在の扉が、扉の左右いずれか一方の端部を格納箱にヒンジ構造により取り付けたものであるところの請求項１に記載の消火器の格納箱。
【請求項３】
格納消火器が、消火薬剤容器およびその加圧押し出し手段と、格納箱内に設置したノズル付きの引き出しホースとからなるものである請求項１に記載の消火器の格納箱。
【請求項４】
扉のある程度の厚みが、扉の補強のために施された補強材によるものであるところの請求項１〜３のいずれか１に記載の消火器の格納箱。
【考案の詳細な説明】
【技術分野】
【０００１】
本考案は、消火器の格納箱の改良に関し、格納箱内の消火器具類の収納効率を向上させて格納箱の厚みを可能な限り小さくすることにより建物内、および工場や事務所内における設置スペースを小さくして違和感の少ない整然性を保つとともに、とくに駐車場内において格納箱の扉の開閉に際して、駐車中の車両に当接し、あるいは開閉が不十分となるのを減少させ、非常時における迅速な消火活動を阻害するのを防ぎ、もって十分な消火作業の実施ができるようにしたものである。
【背景技術】
【０００２】
近代建築構造物は審美感に富む建物が多く、しかも多機能化の要請もあって消火器具類を格納箱内に収納した状態で設置するとともに、その設置スペースについてもできるだけ邪魔にならず、また目立たないよう縮小化が迫られている。  また都市型駐車場などでは、立体的な構造のものが多くなっている。 そしてそれらの場合においては、消防法により消火設備の設置が義務ずけられており、多くは駐車場内の柱の前や脇に各種の消火用具類を格納した格納箱が取り付けられることが多い。
【考案の開示】
【考案が解決しようとする課題】
【０００３】
しかしながら、消火器そのものが円筒状であるところから、格納箱の幅又は奥行き寸法の減少には必然的に限界があり、また格納箱を構成する正面側の開閉扉についても強度保持のために、その全体かあるいは少なくとも一部に補強材を取り付ける必要があるところからある程度の厚みを有し、その分だけ正面側に余分に突出させることになって奥行き寸法が比較的大きくなる。
【０００４】
とくに駐車場に設置する場合においては、駐車車両との間隙が狭い場合が多く、そのために正面側の開閉扉が車両のボディにあたって傷つけたり、あるいは開かなかったりすることもあり、緊急時の初期消火活動を担保するためには格納箱の、とくに奥行き寸法を小さくすることはきわめて重要である。
【課題を解決するための手段】
【０００５】
そこで本考案は、消火器等を収納する格納箱の正面側開閉扉が消火器と干渉しない構造として格納箱の奥行き寸法を減少させるようにしたものであって、具体的には、ある程度の厚みを有した開閉自在の扉を有する方形の消火器格納箱であって、該格納箱の扉には、格納消火器に対面する裏側に、消火器管胴部の一部を受け入れ可能な凹部を形成してなることを特徴とした消火器の格納箱に関する。
【０００６】
上記の構成において、格納箱内に消火器を収納した後扉を閉めた場合に、扉の裏側に施した凹部が消火器管胴部を受け入れることができるために消火器管胴部に干渉することなく完全に閉めることができる。
【考案の効果】
【０００７】
本考案は上記した通り、格納箱の扉裏側には消火器管胴部の一部を受け入れ可能な凹部が形成されているために、扉を閉めた際に消火器管胴部に干渉することがなく、したがってその分だけ格納箱の奥行き寸法（厚み）を小さくすることができる。  また建物内、および工場や事務所内における格納箱の設置スペースを小さくして違和感の少ない整然性を保つとともに、とくに駐車場内において格納箱の扉の開閉に際して、駐車中の車両に当接し、あるいは開閉が不十分となるのを減少させ、非常時における迅速な消火活動を阻害するのを防ぎ、もって十分な消火作業の実施を可能とする。
【考案を実施するための最良の形態】
【０００８】
以下において本考案の具体的な内容を図１〜３に示した実施例をもとに説明すると、１は本考案に係る消火器の格納箱をあらわし、全体を鋼板により方形の有底本体部６を形成するとともに、正面側には本体部６の片側開口端に対してヒンジ７を介して開閉自在の扉２を有する。  なお６ａは本体部６の反対側開口端に形成した扉受け部、６ｂは該扉受け部６ａに形成した突起受け用の凹部をあらわしている。
【０００９】
さらに扉２は裏面に補強部３を有してある程度の厚みを有するとともに、該補強部３の格納消火器８に対面する幅方向略中央部には、格納消火器８の管胴部の一部を受け入れ可能とする湾曲した凹部４が形成されている。  なお５は扉の開閉用把手部、２ａは前記した扉受け部６ａの凹部６ｂに嵌合可能な突起をあらわす。
【００１０】
上記の構成において、格納箱１内に消火器８を収納し、あるいは特に図示はしないが消火器として消火薬剤容器およびその加圧押し出し手段と、格納箱内に設置したノズル付きの引き出しホースを纏めて収納し、その状態においてヒンジ７を支点として扉２を閉めた場合に、扉２の裏側に形成した凹部４が消火器８の管胴部の一部を受け入れることができるために障害となることなく扉２の自由端を扉受け部６ａに当接させることができ、突起２ａを凹部６ｂに嵌合させて扉２を本体部６の正面側開口面に完全に閉止させることができる。
【図面の簡単な説明】
【００１１】
【図１】本考案の実施例である消火器の格納箱の正面図（Ａ）および下方部を一部断面であらわした側面図（Ｂ）。
【図２】図１におけるＡーＡ部の矢視方向断面図。
【図３】図２において、扉を開いた状態の断面図。
【符号の説明】
【００１２】
１        格納箱
２ａ      突起
３        補強部
４        凹部
５        扉の開閉用把手部
６ａ      扉受け部
６ｂ      凹部
７        ヒンジ
８        消火器
【図１】
0003100821.tif 000003
【図２】
0003100821.tif 000004
【図３】
0003100821.tif 000005
(57)【要約】
【課題】液晶タッチパネルの保護及び液晶表示の確認のための保護カバー部分が、液晶タッチパネルの操作性を犠牲にしないものを備えた携帯端末機等のキャリングケース。
【解決手段】液晶タッチパネルを使用した携帯端末機３のキャリングケース１において、液晶タッチパネルの保護機能を有し視野性及び操作性を犠牲にすることが無いように、透明且つ柔軟な素材で液晶タッチパネル面になるべく沿うよう立体的に成型された保護カバー２を備える携帯端末機等のキャリングケース。
【選択図】図１
0003100844.tif 000002
【実用新案登録請求の範囲】
【請求項１】
液晶タッチパネルを使用した携帯端末機等のキャリングケースにおいて、液晶タッチパネルの保護機能を有し視野性及び操作性を犠牲にすることが無いように、透明且つ柔軟な素材で液晶タッチパネル面になるべく沿うよう立体的に成型された保護カバーを有するキャリングケース。
【考案の詳細な説明】
【技術分野】
【０００１】
本考案は、液晶タッチパネルを有する携帯端末機等のキャリングケースに関するものである。
【背景技術】
【０００２】
この種のキャリングケースには液晶面の保護及び液晶表示の確認のため透明且つ柔軟な素材を使用するものがあるが、液晶タッチパネル面が本体表面より低く設計されているものや、液晶タッチパネル取り付け枠縁が本体表面より高い端末機に於いては、液晶タッチパネルと液晶保護カバーの間に隙間ができ操作性はあまり良くなかった。
この種のキャリングケースには「登録実用新案第３０５６１９３号」があるが、液晶タッチパネル部分のカバーに関しては「可撓性フィルム」とあるだけで、形状については述べられていない。
【特許文献１】登録実用新案第３０５６１９３号
【考案の開示】
【考案が解決しようとする課題】
【０００３】
解決しようとする問題点は、液晶タッチパネルの保護及び液晶表示の確認のための保護カバー部分が、液晶タッチパネルの操作性を犠牲にすることである。
【課題を解決するための手段】
【０００４】
液晶タッチパネルを使用した携帯端末機等のキャリングケースにおいて、液晶タッチパネルの保護機能を有し視野性及び操作性を犠牲にすることが無いように、透明且つ柔軟な素材で液晶タッチパネル面になるべく沿うよう立体的に成型された保護カバーを有するキャリングケース。
【考案の効果】
【０００５】
本考案のキャリングケースは液晶タッチパネル面と保護カバー間の隙間が少なくなるため、液晶タッチパネルの操作がしやすく操作間違いが少ないとういう利点がある。
【考案を実施するための最良の形態】
【０００６】
液晶タッチパネル部分を確実に保護し且つ液晶の視野性及び操作性を犠牲にしないという目的を実現した。
【実施例１】
【０００７】
図１は本考案の１実施例の斜視図であり、図２は図１のＡ−Ａ線における断面図である。３は本体上面より低い位置に液晶タッチパネルを有する携帯端末機である。
【０００８】
キャリングケース１は衝撃吸収性を有する柔軟な素材、例えばクッション材を挟み込んだビニール、皮革、布等を用いて形成される。キャリングケースの液晶窓部分２は、透明且つ柔軟な素材を携帯端末機の本体上面−液晶タッチパネル面の凹凸に合わせ立体成型したものを、キャリングケース１に隙間ができないよう接着剤等で固定されている。
【図面の簡単な説明】
【０００９】
【図１】携帯端末機に装着した状態を示す斜視図である。
【図２】図１のＡ−Ａ線における断面図である。
【符号の説明】
【００１０】
１    キャリングケース
２    キャリングケース液晶タッチパネル部
３    携帯端末機
【図１】
0003100844.tif 000003
【図２】
0003100844.tif 000004
(57)【要約】
【課題】    本考案はテニスラケットのグリップ部分に角度を付け曲げて、ボールを打つ時の衝撃を軽減する。
【解決手段】    本考案はラケット本体１のグリップ部分の２の部分より、角度を付け曲げた。
【選択図】    図１
0003100835.tif 000002
【実用新案登録請求の範囲】
【請求項１】
テニスラケットのグリップ部分に角度を付け、曲げたところを特徴とするテニスラケットである。
【考案の詳細な説明】
【技術分野】
【０００１】  本考案は、テニスラケットのグリップ部分に、角度を付け曲げたテニスラケットに関するものである。
【背景技術】
【０００２】  テニスをすると、手首、ひじにダメージを受けていた。
【考案の開示】
【考案が解決しようとする課題】
【０００３】  テニスをしていると、特に硬式の場合、ラケットへの衝撃が強いため、手首やひじにダメージを受けていた。本考案は少しでもダメージを軽減しようとするものである。
【課題を解決するための手段】
【０００４】  本考案は、グリップに角度を付け曲げた。
【考案の効果】
【０００５】  グリップに角度を付けることにより、手首が伸びきらない状態でスイングできる。更に、ボールの衝撃による手のひら内の回転をおさえられるため、ダメージを軽減できる。
【考案の実施するための最良の形態】
【０００６】  グリップの曲げる角度は、角度が付きすぎると使いにくくなるため、１０°〜２０°とする。曲げ始めからグリップエンドまでは、手のひらの幅以上にする。
【実施例】
【０００７】  添付図面に従って一実施例を説明する。１はラケット本体、２はグリップの曲げ始め部分、３はこの方向より手で握るものとする。
【図面の簡単な説明】
【０００８】
【図１】本考案の角度付グリップテニスラケットの一実施例を示す正面図である。
【図２】本ラケットのグリップ部分の拡大図である。
【符号の説明】
【０００９】  １  ラケット本体
２  グリップ曲げ始め部分
３  グリップの握る方向、位置
【図１】
0003100835.tif 000003
【図２】
0003100835.tif 000004
(57)【要約】      （修正有）【課題】通気性を具え、傷口の快復率を高めることのできる薬用シートを提供する。【解決手段】柔軟性を有する編糸の作用を利用して所定面積のニット面を形成し、かつニット面の適宜位置には、ニット面に対し縦方向の通気隙間を形成したホール部が形成されてなる被覆層１１と、薬剤を塗布した布であって、被覆層の上面に積層接着するとともに、表面に被覆層のホール部１１１に対応する位置に孔部１２１を有し、かつ上面に粘着剤を塗布してなる薬剤層１２と、薬剤層１２の粘着剤を塗布した表面に着脱自在に積層粘着させた剥離フィルム１３とによって形成した。【選択図】図１
0003100839.tif 000002
【実用新案登録請求の範囲】
【請求項１】
柔軟性を有する編糸の作用を利用して所定面積のニット面を形成し、かつ前記ニット面の適宜位置には、前記ニット面に対し縦方向の通気隙間を形成したホール部が形成されてなる被覆層と、
薬剤を塗布した布であって、前記被覆層の上面に積層接着するとともに、表面に前記被覆層のホール部に対応する位置に孔部を有し、かつ上面に粘着剤を塗布してなる薬剤層と、
前記薬剤層の粘着剤を塗布した表面に着脱自在に積層粘着させた剥離フィルムとによって形成されていることを特徴とする薬用シート。
【考案の詳細な説明】
【技術分野】
【０００１】
この考案は、薬剤を塗布した織布の通気性を可能にした薬用シートに関し、特に傷口に貼って使用する薬用シートに関する。
【背景技術】
【０００２】
従来の薬用シートは、単一層の薬用シートを直接傷口に貼るものであって、前記薬用シートは密閉型のシート織布によって形成されている。そして、従来の薬用シートは傷口が外部の空気に触れないように遮断されているため、長期に亘って使用すると傷口が爛れる場合がある。また、傷口と薬用シートが直接接触するため、互いに粘着し薬用シートを交換する場合に傷口が再び裂けて痛みを感じることもある。よって、従来の薬用シートは実用性について改善の余地がある。
【考案の開示】
【考案が解決しようとする課題】
【０００３】
この考案は、通気性を具え、傷口の快復率を高めることのできる薬用シートを提供することを課題とする。
【課題を解決するための手段】
【０００４】
そこで、本考案者は従来の薬用シートに見られる欠点に鑑み鋭意研究を重ねた結果、通気作用を有するホール部を形成した被覆層と、薬剤を塗布してなる薬剤層と、剥離フィルムとを順に積層してなる薬用シートの構造によって、課題を解決できる点に着眼し、かかる知見に基づいて本考案を完成させた。
以下、この考案について具体的に説明する。
【０００５】
請求項１に記載の薬用シートは、柔軟性を有する編糸の作用を利用して所定面積のニット面を形成し、かつ前記ニット面の適宜位置には、前記ニット面に対し縦方向の通気隙間を形成したホール部が形成されてなる被覆層と、薬剤を塗布した布であって、前記被覆層の上面に積層接着するとともに、表面に前記被覆層のホール部に対応する位置に孔部を有し、かつ上面に粘着剤を塗布してなる薬剤層と、前記薬剤層の粘着剤を塗布した表面に着脱自在に積層粘着させた剥離フィルムとによって形成されていることを特徴とする。
【考案の効果】
【０００６】
この考案による薬用シートは、傷口を被覆した場合、好ましい通気性が得られ、傷口の快復率を高める効果を有する。
【考案を実施するための最良の形態】
【０００７】
この考案は傷口に貼って使用する薬用シートを提供するものであって、通気作用を有するホール部を形成した被覆層と、薬剤を塗布してなる薬剤層と、剥離フィルムとによってなる薬用シートとによって構成する。かかる薬用シートの構造と特徴を説明するために、具体的な実施例を挙げ、図示を参照にして以下に説明する。
【実施例１】
【０００８】
図１〜図３に開示するように、この考案による薬用シートは、被覆層１１と、薬剤層１２と、剥離フィルム１３とによって構成する。前記被覆層１１は柔軟性を有する編糸の作用を利用して所定面積のニット面を形成し、かつニット面の適宜位置には、前記ニット面に対し縦方向の通気性隙間が形成されたホール部１１１が形成される。
【０００９】
薬剤層１２は薬剤を塗布した布であって、前記被覆層１１に接着する。その表面には、被覆層１１のホール部１１１に対応する位置に孔部１２１を形成し、かつ上面に粘着剤を塗布する。
剥離フィルム１３は薬剤層１２の粘着剤を塗布した表面に着脱自在に積層粘着させる。
【００１０】
図４，図５に開示するように、この考案による薬用シートを使用する場合は、剥離フィルム１３を剥離させ、被覆層１１のニット面の通気性隙間が形成されたホール部１１１が傷口を被覆するように位置を合わせて、剥離フィルム１３を剥離した状態で、薬剤層１２の粘着剤によって、前記薬剤層１２を直接皮膚に粘着させ、薬剤層１２に塗布した薬剤を傷口の皮膚内に浸透させる。
【００１１】
また、被覆層１１の通気性を具えるホール部１１１の作用によって、外部の空気が流通して傷口の快復率を高めることができ、好ましい治療効果が得られる。
【００１２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００１３】
【図１】この考案による薬用シートの実施例を示す分解斜視図である。
【図２】図１に開示する薬用シートの外観を表わす説明図である。
【図３】図１に開示する薬用シートの断面図である。
【図４】図１に開示する薬用シートの使用態様を表わす説明図である。
【図５】図４に開示する薬用シートの通気作用を表わす説明図である。
【符号の説明】
【００１４】
１      薬用シート
１１    被覆層
１２    薬剤層
１３    剥離フィルム
１１１  ホール部
１２１  孔部
【図１】
0003100839.tif 000003
【図２】
0003100839.tif 000004
【図３】
0003100839.tif 000005
【図４】
0003100839.tif 000006
【図５】
0003100839.tif 000007
(57)【要約】      （修正有）【課題】バックホーに取り付ける集草積込みを行なうアタッチメントを提供する。【解決手段】長さ１．５ｍのフラットバー２にコイル式タブルタイン１を１０ｃｍ間隔で取り付けヒンジにより角度が地盤に合うようにボルト止めとし又固定出来るようにもした。【選択図】図１
0003100860.tif 000002
【実用新案登録請求の範囲】
【請求項１】
（イ）鋼管下側にフラットバーを溶接しコイル式ダブルタインをボルトで固定する。
（ロ）鋼管上側にヒンジ付き鉄板を溶接し端部に穴を明けヒンジ穴とバケット取り付金具とボルトで可動できるよう接続する又端部穴にボルトで固定できるようにした。
以上の如く構成されたバックホー用集草機。
【考案の詳細な説明】
【考案の詳細な説明】
【技術分野】
【００１】この考案はバックホーに取り付けるアタッチメントで在り機械工学に関するものである。
【背景技術】
【００２】従来草刈り後集草、積込みは人力により行っていた。
【考案が解決しようとする課題】
【００３】本案はその欠点を除きバックホーに取付け機械で集草、積込みが迅速に出来るようにしたものである。
【課題を解決するための手段】
【００４】（イ）長さ１．５ｍ程度のフラットバーにコイル式タブルタインを１０ｃｍ間隔で取り付けた。
（ロ）角度が自由になるようにヒンジ式とした。
（ハ）積み込み時固定できるよう固定穴を設けた。
【考案を実施するための最良の形態】
【００５】草刈り後地盤になじむように本考案を引き寄せ集草し固定穴にボルトで固定し積み込みを行う。
【考案の効果】
【００６】今までは人力により集草、積込みを行っていたが草にかぶれたり虫さされ等人的被害が多かった本案使用により法面、傾斜地、人力により作業出来ない危険な箇所でも簡単な操作で短時間に出来るようになった。
【図面の簡単な説明】
【図１】本考案の正面図
【図２】本考案の側面図
【図３】本考案の実施例を示す斜視図
【符号の説明】
▲１▼  コイル式ダブルタイン
▲２▼  フラットバー
▲３▼  鋼管
▲４▼  ヒンジ付き鉄板
▲５▼  固定用ボルト
▲６▼  バケット取付け金具
【図１】
0003100860.tif 000003
【図２】
0003100860.tif 000004
【図３】
0003100860.tif 000005
(57)【要約】
【課題】１人での測定を容易にし、作業効率の改善を図ることができる爪を備えた巻尺を提供する。
【解決手段】巻尺帯３は、片面３ａに目盛３ｂを有し、ケース２の内部に引出し可能に収納されている。保持爪４は、巻尺帯３の先端に、片面３ａの反対面側に垂直に突出している。保持爪４は、その先端に垂直に、巻尺帯３と平行に突出する鋸歯状爪５を一体的に有している。鋸歯状爪５は、複数の先端が尖った歯から成る。長さを測る場合、鋸歯状爪５を長さを測る起点に引っ掛け、ケース２を持って巻尺帯３を伸ばして測る。このとき、鋸歯状爪５を起点に引っ掛けて、保持爪４が起点から外れるのを防止する。
【選択図】図１
0003100856.tif 000002
【実用新案登録請求の範囲】
【請求項１】
片面に目盛を有する巻尺帯がケースの内部に引出し可能に収納され、前記巻尺帯の先端に前記片面の反対面側に垂直に突出する保持爪を有する巻尺であって、前記保持爪は先端に垂直に前記巻尺帯と平行に突出する鋸歯状爪を一体的に有することを特徴とする爪を備えた巻尺。
【考案の詳細な説明】
【技術分野】
【０００１】
本考案は、爪を備えた巻尺に関する。
【背景技術】
【０００２】
従来の巻尺は、片面に目盛を有する巻尺帯がケースの内部に引出し可能に収納され、巻尺帯の先端に垂直に突出する保持爪を有している。その従来の巻尺で長さを測る場合、両手を開いた長さを超える長さのときには、保持爪を長さを測る起点に引っ掛け、ケースを持って巻尺帯を伸ばして測ろうとすると、保持爪が外れやすく、測りにくかった。そこで、巻尺帯の保持爪を起点に引っ掛けたうえで、巻尺帯の先端を他の人に押さえてもらって測るのが一般的であった。このため、長さを測るために、巻尺帯の先端を押さえる人とケースを持つ人の２人で行なう必要があり、効率的でなかった。この問題を解決しようとする従来の巻尺として、保持爪の外側面に磁石を取り付けたものがある（例えば、特許文献１参照）。
【０００３】
【特許文献１】特開平１０−３０９０１号公報
【考案の開示】
【考案が解決しようとする課題】
【０００４】
しかしながら、特許文献１に示す従来の技術では、磁石を吸着するスチール製の物からの長さを測る場合にしか保持爪の磁石は役立たず、それ以外の場合には２人で測らなければならないため、作業効率の改善を図ることができないという課題があった。
【０００５】
本考案は、このような従来の課題に着目してなされたもので、１人での測定を容易にし、作業効率の改善を図ることができる爪を備えた巻尺を提供することを目的としている。
【課題を解決するための手段】
【０００６】
上記目的を達成するために、本考案に係る爪を備えた巻尺は、片面に目盛を有する巻尺帯がケースの内部に引出し可能に収納され、前記巻尺帯の先端に前記片面の反対面側に垂直に突出する保持爪を有する巻尺であって、前記保持爪は先端に垂直に前記巻尺帯と平行に突出する鋸歯状爪を一体的に有することを特徴とする。
【０００７】
鋸歯状爪は、複数の先端が尖った歯から成る。鋸歯状爪は、保持爪と一体的にスチールから成ることが好ましい。
本考案に係る爪を備えた巻尺は、長さを測る場合、鋸歯状爪を長さを測る起点に引っ掛け、ケースを持って巻尺帯を伸ばして測る。このとき、鋸歯状爪を起点に引っ掛けることにより、保持爪が起点から外れるのを防止して、１人での測定を容易にし、作業効率の改善を図ることができる。
【０００８】
なお、保持爪は、磁性を帯びていてもよい。この場合、スチール製の物を起点としたときにも、保持爪を起点に吸着させることにより外れるのを防止して、１人での測定を容易にし、作業効率の改善を図ることができる。
【考案の効果】
【０００９】
本考案によれば、１人での測定を容易にし、作業効率の改善を図ることができる爪を備えた巻尺を提供することができる。
【考案を実施するための最良の形態】
【００１０】
以下、図面に基づき、本考案の実施の形態について説明する。
図１は、本考案の実施の形態の爪を備えた巻尺を示している。
図１に示すように、爪を備えた巻尺１は、ケース２と巻尺帯３と保持爪４と鋸歯状爪５とを有している。
【００１１】
図１（ａ）に示すように、ケース２は、巻尺ケースの一般的な形状を有している。ケース２は、側面の角部に、スリット状の引出口６を有している。
巻尺帯３は、片面３ａに目盛３ｂを有している。巻尺帯３は、片面３ａを内側にして巻き取られ、バネで巻き取り方向に付勢されてケース２の内部に収納されている。巻尺帯３は、固定端がケース２の内部で固定され、先端が引出口６に配置されている。巻尺帯３は、引出口６から引出し可能で、自動的に巻き取り可能となっている。
【００１２】
保持爪４は、スチールから成り、巻尺帯３の先端に、片面３ａの反対面側に垂直に突出して設けられている。保持爪４は、引出口６より大きく、巻尺帯３が巻き取られたときケース２の内部に入り込まないようになっている。保持爪４は、巻尺帯３が巻き取られたとき引出口６の縁部に引っ掛かる。保持爪４は、図では省略してあるが、角などに引っ掛けて測定しても壁などに押し付けて測定しても測定値が正確になるよう巻尺帯３の長さ方向に厚さ分、移動可能となっている。
図１（ｂ）に示すように、鋸歯状爪５は、スチールから成り、保持爪４と一体的に構成されている。鋸歯状爪５は、鋸の歯のように複数の先端が尖った歯から成る。鋸歯状爪５は、保持爪４の先端に垂直に、巻尺帯３と平行になるよう巻尺帯３に対し鉤型状に突出して設けられている。
【００１３】
次に、作用について説明する。
巻尺１は、長さを測る場合、鋸歯状爪５を長さを測る起点に引っ掛け、ケース２を持って巻尺帯３を伸ばして測る。このとき、鋸歯状爪５を起点に引っ掛けることにより、保持爪４が起点から外れるのを防止することができる。このため、巻尺１は、巻尺帯３の先端を他の人に押さえてもらう必要がなく、１人での測定を容易にし、作業効率の改善を図ることができる。
【図面の簡単な説明】
【００１４】
【図１】本考案の実施の形態の（ａ）爪を備えた巻尺を示す斜視図、および（ｂ）巻尺帯の先端を示す拡大斜視図である。
【符号の説明】
【００１５】
１  巻尺
２  ケース
３  巻尺帯
４  保持爪
５  鋸歯状爪
６  引出口
【図１】
0003100856.tif 000003
(57)【要約】      （修正有）【課題】本考案は携帯用・高効率の浮き型ガス湯沸かし器を提供する。【解決手段】上方が開口し、下部側面に通気口を持つ、深い箱型の燃焼室の底部にガスバーナーを取り付けた燃焼室内部中段に複数枚の吸熱伝導板を間隔を置いて重ねて取り付け、燃焼室外面には縦方向の放熱羽根が一定間隔に並べて設けられ、浮きを兼ねる通気筒が燃焼室の通気口に接続され、燃焼室と通気筒の外壁は二重構造のオータージャケットを形成し、通気筒内にはガスボンベの収納部とガス栓・着火装置が組込まれ、燃焼室底部には吃水を決める重りが取り付けてあり、燃焼室や放熱部が水面下にある携帯に便利な高効率ガス湯沸かし器。【選択図】図１
0003100880.tif 000002
【実用新案登録請求の範囲】
【請求項１】
上方に開口し、下部両則に通気口を設け、底部にガスバーナーを設置し、内側中段に複数枚の吸熱伝導板を、外面に縦方向に多数の放熱フィンを設け、燃焼室の下部通気口に連結する浮き子兼通気筒によって構成され、燃焼室と通気筒との隔壁は、二重構造の断熱構造に成っていて、通気筒内にガスボンベ等が収納され水面に浮かせて使用することを特徴とした浮き型ガス湯沸かし器。
【請求項２】
請求項１の浮き型ガス湯沸かし器に、浮き子によって開閉するガス栓と、自動着火装置を組み込んで、本機を水面に浮かべると自動的に着火し、水面から引き上げると自動消火するようにした、浮き型ガス湯沸かし器。
【考案の詳細な説明】
【考案の詳細な説明】
【技術分野】
【０００１】本考案は水面に浮かせて使用する浮き型ガス湯沸かし器に関するものである。
【背景技術】
【０００２】従来入浴の為の湯を沸かすには、専用の風呂桶と風呂釜を用いるか、水槽に外で沸かした湯をためるか、水槽を直接火にかける（五衛門風呂）等であった。
【考案が解決しようとする課題】
【０００３】アウトドア等に於いて、簡単な水貯め・水槽等で入浴が出来る様にしたい。
【課題を解決するための手段】
【０００４】溜り水の水面下に放熱するようにしたガスバーナーの燃焼室に、通気筒を兼ねた浮き子を取り付けこれを水面に浮かせることで水面下でガスをバーナーで燃焼させる高効率な浮き型湯沸かし器を製作する。
【考案実施の形態】
【０００５】上方が開口し、下部側面に通気口を持つ深い箱型の燃焼室の底部にガスバーナーを取り付け、中段内部に複数枚の吸熱伝導板を間隔を置いて重ねて取り付けられ、燃焼室外面には縦方向の放熱はねが一定間隔に並んで設けられ、浮きを兼ねる通気筒が燃焼室の通気口に接続され、燃焼室と通気筒の隔壁は二重構造のオータージャケットを形成し、燃焼室の効率を高める効果がある。なお通気筒内にはガスボンベの収納部とガス栓・着火装置が組込まれ、燃焼室底部には吃水位置を決める為の重りが取り付けられる。
【実施例】
【０００６】本考案の実施例を図によって説明する。図１は本考案の概念説明正面図で，図２は側面を示す図である。燃焼室（１）の下部両則に通気口（２）が設けられ底部にガスバーナー（３）が取り付けられ、燃焼室内側のバーナー上部には複数枚の網状の吸熱伝導板（４）を等間隔に重ね配置し、燃焼室の外面には縦方向の放熱羽根（５）が等間隔に並んで設けられ、通気口（２）には浮きを兼ねた、通気筒（６）が取り付けられ、燃焼室（１）の側壁と通気筒（６）の外壁は二重構造隔壁としてウォータージャケット（７）を形成する。又燃焼室（１）底部には吃水を決める為の重垂（８）が取り付けられ、通気筒（６）上部にはガスボンベ受けソケット（９）ガス栓（１０）・着火装置（１１）・ボンベ収納部（１２）が設けられ把手（１４）によって携帯、自由に移動できる。【０００７】上記ガス栓（１０）着火装置（１１）を浮き子（１３）によって操作する様にすれば本機を水に浮かべれば自動的に着火し本機を水から上げると自動的に消火する様に出来る。（図３）
【考案の効果】
【０００８】上述の様に本考案のガス湯沸かし器は燃焼室と放熱部が水面下に有るため熱効率が高く、持ち運びに便利な浮き型ガス湯沸かし器が提供出来る。
【図面の簡単な説明】
【０００９】
【図１】本考案の浮き型ガス湯沸かし器の概念説明図である。
【図２】浮き子に拠るガス栓の操作例の図である。
【図３】本考案の浮子によるガス栓の動作説明図である。
【符号の説明】
【００１０】  １  燃焼室
２  通機口
３  バーナー
４  吸熱伝導板
５  放熱羽根
６  通気筒
７  オータージャケット
８  重垂
９  ボンベ受けソケット
１０  ガス栓
１１  着火装置
１２  ボンベ収納部
１３  ガス栓開閉用浮き子
１４  携帯用把手
１５  吃水位置
１６  ガス栓・着火操作レバー
１７  スプリング
【図１】
0003100880.tif 000003
【図２】
0003100880.tif 000004
【図３】
0003100880.tif 000005
(57)【要約】
【課題】  展示パネル用連結フックの吊り孔を壁面のフックに掛けた後、簡単な操作で展示物の高さを容易に調整できる展示パネル用連結フックを提供する。
【解決手段】  上部に吊り孔を下部に窓孔をそれぞれ穿設した吊り板と、上部にネジ棒を形成し、吊り板に上下方向に進退自在に挿入したフックとよりなり、外周にローレットを刻設したナットを前記窓孔に配置して、前記ネジ棒と螺合させ、ナットを回転させることによりフックの高さ位置を調整するようにした展示パネル用連結フックとした。        【選択図】  図２
0003100817.tif 000002
【実用新案登録請求の範囲】
【請求項１】
上部に吊り孔を下部に窓孔をそれぞれ穿設した吊り板と、上部にネジ棒を形成し、吊り板に上下方向に進退自在に挿入したフックとよりなり、外周にローレットを刻設したナットを前記窓孔に配置して、前記ネジ棒と螺合させ、ナットを回転させることによりフックの高さ位置を調整するようにした展示パネル用連結フック。
【考案の詳細な説明】
【技術分野】
【０００１】
本考案は、展示パネル用連結フックに関し、特に展示パネルの高さを調整できる連結フックについてのものである。展示物としては絵画、その他の展示物が含まれる。
【背景技術】
【０００２】
従来の展示パネル用連結フックは、その吊り孔を壁面のフックに掛けると、展示物の高さの調整は簡単にはできなかった。
【考案の開示】
【考案が解決しようとする課題】
【０００３】
展示パネル用連結フックの吊り孔を壁面のフックに掛けた後、簡単な操作で展示物の高さを容易に調整できることが求められている。
【課題を解決するための手段】
【０００４】
そこで、本考案は、上記の事情に鑑み、展示パネル用連結フックの吊り孔を壁面のフックに掛けた後、簡単な操作で展示物の高さを容易に調整できるようにすべく、上部に吊り孔を下部に窓孔をそれぞれ穿設した吊り板と、上部にネジ棒を形成し、吊り板に上下方向に進退自在に挿入したフックとよりなり、外周にローレットを刻設したナットを前記窓孔に配置して、前記ネジ棒と螺合させ、ナットを回転させることによりフックの高さ位置を調整するようにした展示パネル用連結フックとした。
【考案の効果】
【０００５】
本考案は、上部に吊り孔を下部に窓孔をそれぞれ穿設した吊り板と、上部にネジ棒を形成し、吊り板に上下方向に進退自在に挿入したフックとよりなり、外周にローレットを刻設したナットを前記窓孔に配置して、前記ネジ棒と螺合させ、ナットを回転させることによりフックの高さ位置を調整するようにした展示パネル用連結フックであるので、展示パネル用連結フックの吊り孔を壁面のフックに掛けた後、簡単な操作で展示物の高さを容易に調整できる。
【考案を実施するための最良の形態】
【０００６】
本考案を実施するための最良の形態を、添付する図面の図１〜図４に基づいて、以下詳細に説明する。
【０００７】
図１、図２は本考案の展示パネル用連結フックの具体的な一実施例の正面図、図２はその左側面図、図３、図４は固着された壁面フックに図１、図２の展示パネル用連結フックを掛けた状態の正面図と左側面図である。
【０００８】
吊り板１は、概略長方形状の板状体で、上部に吊り孔２を下部に窓孔３をそれぞれ穿設し、吊り孔２の下部には垂直溝４を連設している。また、吊り板１には最下端から吊り孔２に至る挿通孔５が穿設してある。
【０００９】
フック６は、例えば、ステンレス製の直径５ｍｍの丸棒をＵ字状に屈曲し、一方を延ばし、そこにネジ山を刻設してネジ棒７を形成する。このフック６には展示物の吊り下げ用のワイヤーを掛けるが、その開口を閉めるゲート８を設ける。ゲート８は細径のステンレスばね材でＵ字状に形成し、その基端をネジ棒７下部に係合させて開口を閉める方向に付勢させて、その先端はフック６端部の切欠き９に係合させる。
【００１０】
ナット１０は、例えば真鍮製、直径１１ｍｍで、前記窓孔３内に配置できる大きさに形成し、回転させやすいようにその外周にローレット１１を刻設する。
【００１１】
この展示パネル用フックは、吊り板１の窓孔３にナット１０を配置し、吊り板１の挿通孔５にフック６のネジ棒７を挿入させ、ネジ棒７をナット１０と螺合させてネジ棒７の先端はナット１０より突出させる。突出したネジ棒７は挿通孔５内に位置する。この突出したネジ棒７は垂直溝４を通して外部から見える。
【００１２】
ナット１０を右回しにするとフック６は下方へ、ナット１０を左回しにするとフック６は上方へそれぞれ移動する。
【００１３】
図３、図４には壁面フック１２が示され、取付板１３にフック１４が固着されている。符号１５は壁面への取付孔である。
【００１４】
壁面に取付けられた壁面フック１２のフック１４に本展示パネル用連結フックの吊り板１の吊り孔２を掛ける。
【００１５】
フック６には展示パネルを吊り下げるワイヤーが掛けられている。この状態で展示パネルの高さを、ナット１０を回転することにより極めて容易に高さ調整ができる。
【実施例】
【００１６】
直径５ｍｍのフックで調整高さを１５ｍｍとすることができる。
【産業上の利用可能性】
【００１７】
本考案の展示パネル用連結フックは、展示パネルに限らず、吊り下げ物の高さを容易に調整できる。
【図面の簡単な説明】
【００１８】
【図１】本考案の展示パネル用連結フックの正面図である。
【図２】図１の左側面図である。
【図３】固着された壁面フックに図１、図２の展示パネル用連結フックを掛けた状態の正面図である。
【図４】図３の左側面図である。
【符号の説明】
【００１９】
１…吊り板
２…吊り孔
３…窓孔
４…垂直溝
５…挿通孔
６…フック
７…ネジ棒
８…ゲート
９…切欠き
１０…ナット
１１…ローレット
１２…壁面フック
１３…取付板
１４…フック
１５…取付孔
【図１】
0003100817.tif 000003
【図２】
0003100817.tif 000004
【図３】
0003100817.tif 000005
【図４】
0003100817.tif 000006
(57)【要約】
【課題】  絵画等の展示パネルに荷重が加わった際、その荷重による衝撃を鉛プラグで吸収させ、絵画等の展示パネルの落下量を可及的に小さくして、絵画等の展示パネルの落下による破損を少なくすることを目的とする。
【解決手段】  絵画等の展示パネルの吊り下げワイヤーをケース内に挿通させ、筒状の鉛プラグを前記ワイヤーに外嵌めしてケース内に収容し、吊り下げ用ワイヤーの上端に連結したボールを鉛プラグの上端に係合させるようにした絵画等の展示パネルの衝撃吸収用鉛入りフックとした。
【選択図】  図１
0003100819.tif 000002
【実用新案登録請求の範囲】
【請求項１】
絵画等の展示パネルの吊り下げワイヤーをケース内に挿通させ、筒状の鉛プラグを前記ワイヤーに外嵌めしてケース内に収容し、吊り下げ用ワイヤーの上端に連結したボールを鉛プラグの上端に係合させるようにした絵画等の展示パネルの衝撃吸収用鉛入りフック。
【考案の詳細な説明】
【技術分野】
【０００１】
本考案は、絵画等の展示パネルの衝撃吸収用鉛入りフックに関し、絵画等の展示パネルに荷重が加わった際、その荷重による衝撃を鉛プラグで吸収させ絵画等の展示パネルの落下による破損を防止しようとするものである。
【背景技術】
【０００２】
従来の絵画等の展示パネルは、ワイヤーにより吊り下げられている。
【考案の開示】
【考案が解決しようとする課題】
【０００３】
従来の絵画等の展示パネルは、ワイヤーにより吊り下げられているので、絵画等の展示パネルに荷重が加わった際、絵画等の展示パネルがただちに落下し、絵画等の展示パネルに破損の恐れがある。
【課題を解決するための手段】
【０００４】
そこで、本考案は、上記の事情に鑑み、絵画等の展示パネルに荷重が加わった際、その荷重による衝撃を鉛プラグで吸収させ、絵画等の展示パネルの落下量を可及的に小さくして、絵画等の展示パネルの落下による破損を少なくすべく、絵画等の展示パネルの吊り下げワイヤーをケース内に挿通させ、筒状の鉛プラグを前記ワイヤーに外嵌めしてケース内に収容し、吊り下げ用ワイヤーの上端に連結したボールを鉛プラグの上端に係合させるようにした絵画等の展示パネルの衝撃吸収用鉛入りフックとした。
【考案の効果】
【０００５】
本考案は、上述のように、絵画等の展示パネルの吊り下げワイヤーをケース内に挿通させ、筒状の鉛プラグを前記ワイヤーに外嵌めしてケース内に収容し、吊り下げ用ワイヤーの上端に連結したボールを鉛プラグの上端に係合させるようにした絵画等の展示パネルの衝撃吸収用鉛入りフックとしたので、絵画等の展示パネルに荷重が加わった際、その荷重による衝撃を鉛プラグで吸収させ、絵画等の展示パネルの落下量を可及的に小さくして、絵画等の展示パネルの落下による破損を少なくできる。
【考案を実施するための最良の形態】
【０００６】
本考案を添付する図面に示す具体的な一実施例に基づいて、以下詳細に説明する。
【０００７】
図１は本考案の全体を示し、一部を断面した正面図で、図２はその構成部品のケースの縦断面図、図３は同じくその構成部品の接続金具の縦断面図である。
【０００８】
ピクチャーレール１に絵画等の展示パネルの衝撃吸収用鉛入りフックを摺動自在に吊り下げられる。
【０００９】
ピクチャーレール１にフック３を摺動自在に設け、その先端部４に外れ防止ゴム５を外嵌めし、先端部４を接続金具６のネジ孔７に螺着し、接続金具６とケース１１との間にＯリング１９を介在させる。
【００１０】
絵画等の展示パネルを吊り下げる吊り下げ用ワイヤー８の上端に連結したボール９を、筒状の鉛プラグ１０をケース１１内に収容する。このケース１１のネジ孔１２に接続金具６のネジ山１３を螺着連結する。
【００１１】
鉛プラグ１０の上端面はボール９が着座しやすいように球面状の座１４を形成し、中心軸方向に穿設した挿通孔１５は吊り下げ用ワイヤー８の移動を許容できるように、吊り下げ用ワイヤー８より若干大径に形成する。
【００１２】
また、鉛プラグ１０の下端はケース１１の円錐面１７に当接するように形成し、鉛プラグ１０が衝撃を吸収して変形した際、その変形ができるように、鉛プラグ１０の外径よりケース１１の内径１８を大径に形成する。
【００１３】
接続金具６の下部の穴１６はボール９を収容できる大きさに形成する。
【００１４】
絵画等の展示パネルに荷重が加わると、その荷重は吊り下げ用ワイヤー８、ボール９を経て鉛プラグ１０に伝達され、鉛プラグ１０は変形して衝撃を吸収し、絵画等の展示パネルは僅かばかり落下して絵画等の展示パネルの破損を防止する。
【実施例】
【００１５】
ケース１１は、外径１４ｍｍ、長さ５１ｍｍで、鉛プラグ１０はこれに収容できる大きさである。
【産業上の利用可能性】
【００１６】
本考案の絵画等の展示パネルの衝撃吸収用鉛入りフックは、絵画等の展示パネルの吊り下げ用だけでなく、他の物品の吊り下げ用にも利用できる。
【図面の簡単な説明】
【００１７】
【図１】本考案の全体を示し、一部を断面した正面図である。
【図２】本考案の構成部品のケースの縦断面図である。
【図３】本考案の構成部品の接続金具の縦断面図である。
【符号の説明】
【００１８】
８…吊り下げ用ワイヤー
１１…ケース
１０…鉛プラグ
９…ボール
【図１】
0003100819.tif 000003
【図２】
0003100819.tif 000004
【図３】
0003100819.tif 000005
(57)【要約】
【課題】車の前面を覆うシートではなく屋根と前後のガラス分を覆うもので、いつでもすぐにトランクを開け引き出せる便利さを備えているものです。
【解決手段】後部トランク５の上部にシート巻取り機１を設しそのシート２を内装されたスプリングにより巻き納めたものである。
【選択図】図１
0003100811.tif 000002
【実用新案登録請求の範囲】
【請求項１】
乗用車のカーシートが簡単にかけられるようにし、巻取り機を付けたカーシート。
【考案の詳細な説明】
【考案の詳細な説明】
【考案が解決しようとする課題】
【０００１】以前からカーシートはあるが少しの風が吹いていても掛けるのは大変面倒なのでたいがいの方はためらいます。当考案のカーシートは従来のとは違い巻取り機を有しスプリングは常時張っているので少しの風なら使用可能にし収納時もスプリングにより簡単にしました。
【課題を解決するための手段】
【０００２】カーシートの前７後４側面６にあたる部分を取り除き軽く使いやすくした。
【考案の効果】
【０００３】トランクを開け巻き取っているカーシート２の取っ手３を引き前方７に引くだけで簡単にカーシートが取り付けられる。真夏の暑い日、冬の霜降り時などとほこりの多い場所も手入れが簡単ですむようにしました。
【図面の簡単な説明】
【図１】車体と巻取り機カーシート（斜線部）を取り付けた右側面図である。
【符号の説明】
１  巻取り機              ５  後部トランク
２  カーシート            ６  側面
３  取っ手                ７  前方
４  後方
【図１】
0003100811.tif 000003